(57)【特許請求の範囲】
【請求項１】
印刷表示領域をそれぞれ有する複数枚の用紙片を互いの間の境界線を介して帯状に接続した印刷用紙を、前記印刷表示領域が裏側に位置するようにロール状に巻いた裏巻きロール状印刷用紙であって、
前記印刷用紙の終端部に位置する前記用紙片を、その隣り合う前記用紙片との間の前記境界線の部分において外方に折り返し、この用紙片の前記印刷表示領域を当該裏巻きロール状印刷用紙の外周表面側に位置させるとともに、この用紙片をこの外周表面に仮止めしたことを特徴とする裏巻きロール状印刷用紙。
【請求項２】
前記終端部に位置する前記用紙片を前記外周表面に仮止めるための仮止め用シールを設けたことを特徴とする請求項１記載の裏巻きロール状印刷用紙。
【請求項３】
前記仮止め用シールは、これを前記用紙片の二箇所に仮着することを特徴とする請求項２記載の裏巻きロール状印刷用紙。
【請求項４】
前記仮止め用シールは、これを前記用紙片の一箇所に仮着することを特徴とする請求項２記載の裏巻きロール状印刷用紙。
【請求項５】
前記仮止め用シールは、当該裏巻きロール状印刷用紙を管理するための管理番号を印刷してあることを特徴とする請求項２記載の裏巻きロール状印刷用紙。
【請求項６】
前記終端部に位置する前記用紙片を前記外周表面に仮止めるための粘着剤による点状の仮止め部を設けたことを特徴とする請求項１記載の裏巻きロール状印刷用紙。
【請求項７】
印刷表示領域をそれぞれ有する複数枚の用紙片を互いの間の境界線を介して帯状に接続した印刷用紙を、前記印刷表示領域が裏側に位置するようにロール状に巻くとともに、前記用紙片を当該裏巻きロール状印刷用紙の外周表面に仮止めするための裏巻きロール状印刷用紙の仮止め方法であって、
前記印刷用紙の終端部に位置する前記用紙片を、その隣り合う前記用紙片との間の前記境界線の部分において外方に折り返し、この用紙片の前記印刷表示領域を当該裏巻きロール状印刷用紙の外周表面側に位置させるとともに、この用紙片をこの外周表面に仮止めすることを特徴とする裏巻きロール状印刷用紙の仮止め方法。
【発明の詳細な説明】
【技術分野】
【０００１】
本発明は裏巻きロール状印刷用紙およびその仮止め方法にかかるもので、とくに印刷表示用のラベルやシールおよびタグなどの裏巻きロール状印刷用紙およびその仮止め方法に関するものである。
【背景技術】
【０００２】
従来から、商品の価格表示用の値札やその他物品管理ラベルあるいは部品明細ラベルさらには一般シールなど、各種の情報を表示するための印刷用紙としては、台紙にラベル片やシール片を仮着したものや、糊面を持たない下げ札（タグ）、その他任意の構成の印刷用紙がある。
これらの印刷用紙は、その使用にあたってロール状にこれを巻いた状態で携帯式ラベル印字装置、卓上式プリンターあるいは自動ラベル貼付け機その他の機器に装填して用いる形態が一般的であるが、ロール状に巻く形態としては、「表巻き」および「裏巻き」がある。
「表巻き」は、印刷用紙への印刷内容ないし表示内容がロールの表側（外側）に現れるようにロール状に巻き取る形態である。
「裏巻き」は、印刷用紙への印刷内容ないし表示内容がロールの裏側（内側）に隠れるようにロール状に巻き取る形態である。
【０００３】
とくに裏巻きのロール形態をとった裏巻きロール状印刷用紙１について、図７ないし図９にもとづき概説する。
図７は、従来の裏巻きロール状印刷用紙１のロールの一部（終端部）を巻き解いた状態の斜視図、図８は、図７のＶＩＩＩ−ＶＩＩＩ線断面図、図９は、裏巻きロール状印刷用紙１の巻き状態（裏巻き状態）を示す斜視図である。
裏巻きロール状印刷用紙１は、たとえばラベル連続体の形態をとっており、帯状のラベル連続体２（印刷用紙）をロール状に巻いたものである。
ラベル連続体２は、帯状の台紙３と、台紙３上に仮着した複数枚のラベル片４（用紙片）と、を有し、円筒形の巻芯５にこれをロール状に巻くとともに、その終端部のラベル片４部分の背面側に位置する台紙３を仮止め用シール６により外周表面１Ａに仮止めし、図９に示すように裏巻きロール状印刷用紙１としたものである。
【０００４】
それぞれのラベル片４は、その表面側に印刷表示領域７を有し、とくに図８に示すように、その裏面側に粘着剤層８を有し、台紙３の表面側に形成した剥離剤層９にこの粘着剤層８を対向積層させるとともに、互いの間の境界線１０を介して等間隔に当該ラベル片４を台紙３に仮着し、帯状のラベル連続体２としてある。
印刷表示領域７は、任意の仕様ないしデザインを有するもので、たとえば、あらかじめ印刷してある既印刷領域７Ａと、所定の機器に装填した上で印刷するための未印刷領域７Ｂと、を有する。
【０００５】
仮止め用シール６は、所定長さおよび幅のシール本体１１の裏面側に粘着剤層１２を形成したもので、台紙３の終端部３Ａにその表面側から貼り付けることにより、ラベル連続体２を裏巻きロール状印刷用紙１のロールの外周表面１Ａ側に仮止めし、ラベル片４のそれぞれの印刷表示領域７が裏側に位置するように図９に示すようなロール形態としてその解れを防止し、裏巻きロール状印刷用紙１の以後の取扱いなど使用の便とする。
裏巻きロール状印刷用紙１の使用にあたっては、仮止め用シール６を剥がし取ることにより、あるいは仮止め用シール６を切ることにより、図７に示すような帯状に巻き解いた状態で、ラベル片４の印刷表示領域７を確認し、各種の機器に適合した仕様を有する裏巻きロール状印刷用紙１を装填することになる。
【０００６】
しかしながら、とくに図９に示すように、ラベル連続体２を裏巻きロール状印刷用紙１の形態とした状態では、台紙３が上側に位置して台紙３の内側にラベル片４が位置することになり、裏巻きロール状印刷用紙１を取り扱う作業者がラベル片４のデザインすなわち印刷表示領域７を外部から視認することが不可能である。
とくに小売り店などでは、その取り扱う商品の種類に応じて各種のデザイン（印刷表示領域７）を有する裏巻きロール状印刷用紙１を準備しており、印刷表示領域７を確認するために仮止め用シール６をいちいち剥がす必要がある。印刷表示領域７やラベル片４のサイズなどが使用しようとするものではない場合には、他の裏巻きロール状印刷用紙１の仮止め用シール６を剥がすことになり、使用予定の（あるいは機器に装填したい）裏巻きロール状印刷用紙１を特定することが困難な場合が多く、かなりの手数と労力を要していて、作業上の改善を要請されていた。
【０００７】
なお、特許文献１のように、裏巻きロール状印刷用紙１の台紙３側（台紙３の裏面側）にマーク記号をあらかじめ印刷しておくことにより巻き方向などを表示し、操作の間違え防止や梱包ミスなどを防ぐ方法が工夫されているが、マーク記号の意味がわからない作業者や顧客には識別しにくいという問題がある。
また、裏巻きロール状印刷用紙１の生産工程において、マーク記号を印刷する工程がコストアップの原因となるという問題がある。
【０００８】
なお、裏巻きロール状印刷用紙１（ラベル連続体２）としてラベルの形態の印刷用紙の場合はもちろん、糊面を有さないタグなどの場合でも、上述したと同様の諸問題は発生している。
【０００９】
【特許文献１】特開平１０−６３８１７号公報
【発明の開示】
【発明が解決しようとする課題】
【００１０】
本発明は以上のような諸問題にかんがみなされたもので、裏巻き状態であっても、各種印刷用紙の印刷表示領域ないしデザインを確認可能な裏巻きロール状印刷用紙およびその仮止め方法を提供することを課題とする。
【００１１】
また本発明は、ロール形態のままでも印刷用紙の種類や仕様を外部から識別可能な裏巻きロール状印刷用紙およびその仮止め方法を提供することを課題とする。
【００１２】
また本発明は、ロールの外周表面にマーク記号などを印刷する必要がなく、印刷表示領域そのものを視認ないし識別可能な裏巻きロール状印刷用紙およびその仮止め方法を提供することを課題とする。
【００１３】
また本発明は、印刷用紙の仕様を簡単に識別可能として、各種機器などへの装填間違いを防止可能な裏巻きロール状印刷用紙およびその仮止め方法を提供することを課題とする。
【課題を解決するための手段】
【００１４】
すなわち本発明は、裏巻きロール状印刷用紙の終端部に位置する用紙片を少なくとも一枚分だけ外方すなわちロールの表面側に折り返した状態で、その用紙片の印刷表示領域を外方に露出させた状態で仮止めすることに着目したもので、第一の発明は、印刷表示領域をそれぞれ有する複数枚の用紙片を互いの間の境界線を介して帯状に接続した印刷用紙を、上記印刷表示領域が裏側に位置するようにロール状に巻いた裏巻きロール状印刷用紙であって、上記印刷用紙の終端部に位置する上記用紙片を、その隣り合う上記用紙片との間の上記境界線の部分において外方に折り返し、この用紙片の上記印刷表示領域を当該裏巻きロール状印刷用紙の外周表面側に位置させるとともに、この用紙片をこの外周表面に仮止めしたことを特徴とする裏巻きロール状印刷用紙である。
【００１５】
第二の発明は、印刷表示領域をそれぞれ有する複数枚の用紙片を互いの間の境界線を介して帯状に接続した印刷用紙を、上記印刷表示領域が裏側に位置するようにロール状に巻くとともに、上記用紙片を当該裏巻きロール状印刷用紙の外周表面に仮止めするための裏巻きロール状印刷用紙の仮止め方法であって、上記印刷用紙の終端部に位置する上記用紙片を、その隣り合う上記用紙片との間の上記境界線の部分において外方に折り返し、この用紙片の上記印刷表示領域を当該裏巻きロール状印刷用紙の外周表面側に位置させるとともに、この用紙片をこの外周表面に仮止めすることを特徴とする裏巻きロール状印刷用紙の仮止め方法である。
【００１６】
上記終端部に位置する上記用紙片を上記外周表面に仮止めるための仮止め用シールを設けることができる。
【００１７】
上記仮止め用シールは、これを上記用紙片の二箇所に仮着することができる。
【００１８】
上記仮止め用シールは、これを上記用紙片の一箇所に仮着することができる。
【００１９】
上記仮止め用シールは、当該裏巻きロール状印刷用紙を管理するための管理番号を印刷してあることができる。
【００２０】
上記終端部に位置する上記用紙片を上記外周表面に仮止めるための粘着剤による点状の仮止め部を設けることができる。
【発明の効果】
【００２１】
本発明による裏巻きロール状印刷用紙およびその仮止め方法においては、帯状の印刷用紙の終端部の用紙片を外方に折り返して用紙片の印刷表示領域を当該裏巻きロール状印刷用紙の外周表面側に位置させるとともに、この用紙片をこの外周表面に仮止めするようにしたので、用紙片の印刷表示領域が表面側に現れることになり、これをまともに視認可能であり、印刷表示領域７の内容を直接識別することができ、仮止め用シールなどを剥がすことなく、必要な裏巻きロール状印刷用紙を探し出し、使用に供することができる。
したがって、裏巻きロール状印刷用紙の外周表面に面倒なマーク記号をあらかじめ印刷することなく、裏巻きロール状印刷用紙の識別を簡単に行うことにより、作業性の向上および各種ミスの回避を期待することができる。
【００２２】
とくに第一の発明によれば、用紙片の印刷表示領域がロールの外部に露出していることになるので、終端部の用紙片や仮止め用シールに触れることなく、ロールの製品仕様を容易に確認することができる。
【００２３】
とくに第二の発明によれば、用紙片を境界線において外方に折り返して仮止めするだけの操作でよいので、用紙片の印刷表示領域の表示のために、ロールの外周表面に特別新たな印刷などを施す必要がなく、生産コストを上昇させることがない。
【発明を実施するための最良の形態】
【００２４】
本発明は、裏巻きロール状印刷用紙１の終端部に位置す用紙片を外方に折り返した状態で、すなわち、それぞれの用紙片の印刷表示領域を外方に露出させた状態で仮止めすることにしたので、印刷表示領域のデザインを外部から簡単に識別して、ロールの選別作業や梱包作業などにおいてその作業性を向上させることができる裏巻きロール状印刷用紙およびその仮止め方法を実現した。
【実施例】
【００２５】
つぎに本発明の第１の実施例による裏巻きロール状印刷用紙２０およびその仮止め方法を図１ないし図５にもとづき説明する。ただし、図７ないし図９と同様の部分には同一符号を付し、その詳述はこれを省略する。
図１は、裏巻きロール状印刷用紙２０の斜視図であり、裏巻きロール状印刷用紙２０は、ラベル連続体２（印刷用紙）の終端部（台紙３の終端部３Ａ）に位置するラベル片４（用紙片）を、その隣り合うラベル片４との間の境界線１０の部分において外方に折り返し、ラベル片４の印刷表示領域７を当該裏巻きロール状印刷用紙２０の外周表面２０Ａ側に位置させるとともに、一対の仮止め用シール６によりラベル片４の二箇所、すなわち、この折り返した境界線１０部分を含むその端部およびその反対側の端部（台紙３の終端部３Ａ）を外周表面２０Ａに仮止めしてある。
この仮止め用シール６は、ラベル片４の印刷表示領域７（既印刷領域７Ａおよび未印刷領域７Ｂ）をできる限り隠蔽しない部位にこれを仮着して、ラベル片４を仮止めることが望ましい。
【００２６】
図２は、ラベル連続体２の終端部のラベル片４ないし台紙３を折り返す工程を示す斜視図、図３は、終端部のラベル片４の印刷表示領域７を外方に位置させた状態の斜視図、図４は、図１のＩＶ−ＩＶ線拡大断面図である。ただし図４においては、簡略化のために、粘着剤層８、１２、および剥離剤層９の図示を省略してある。
図２に示すように、ラベル片４を折り曲げないようにして台紙３の境界線１０部分ないしその近傍を折って、ラベル片４の印刷表示領域７が外方に向くように、図中矢印のように一枚分を折り返す。
図３に示すように、ラベル片４の印刷表示領域７を外方に向かせた状態で、仮止め用シール６をラベル片４の円周方向において二箇所すなわち、図中上方および下方に貼り付けてラベル片４をこの裏巻きロール状印刷用紙２０の外周表面２０Ａに仮止めし、図１に示した状態の裏巻きロール状印刷用紙２０とする。
したがって、図４に示すように、ラベル連続体２としては、自由端となるその台紙３の終端部３Ａおよびラベル片４どうしの境界線１０を外周表面２０Ａに仮止めされることになり、裏巻きロール状印刷用紙２０としてロール形態に保持して終端部３Ａあるいは境界線１０の折返し部が解けることなく、以後の取扱いを容易とすることができる。
【００２７】
こうした構成の裏巻きロール状印刷用紙２０によれば、裏巻きロール状印刷用紙２０を取り扱う作業者は、上記折り返したラベル片４が表側に位置するため、裏巻きロール状印刷用紙２０が有するラベル片４の印刷表示領域７の内容ないしデザインを一目瞭然に確認することができるので、従来のように仮止め用シール６をその都度剥がすか切るかして印刷表示領域７を見なければならないという手間を省くことができるとともに、異種ロールをセットしてしまうという間違えを防止し、さらには梱包ミスなどを回避することができる。
しかも、裏巻きロール状印刷用紙２０の外周表面２０Ａに、識別用の各種のマーク記号をあらかじめ印刷しておく必要もないため、生産コストの上昇も少ない。
【００２８】
なお図４において仮想線で示すように、仮止め用シール６の代わりに、粘着剤などによる点状の仮止め部２１によりラベル片４を外周表面２０Ａに仮止めすることもできる。
すなわち、折り返したラベル片４が位置する終端部３Ａにおける台紙３の外層側とその内層側との間、および外周表面２０Ａの最外周に位置するラベル片４とその外層側の台紙３との間において印刷領域７のデザインを損なわない部位に仮止め部２１を設ければ、ラベル片４を外周表面２０Ａに仮止め可能であるとともに、剥がすことも容易である。
【００２９】
図５は、仮止め用シール６の拡大平面図であって、仮止め用シール６には、裏巻きロール状印刷用紙２０を管理するための、たとえばロット番号などの管理番号を、たとえばバーコードその他によりあらかじめ表示しておけば、裏巻きロール状印刷用紙２０ないしラベル片４の印刷表示領域７などについての印刷違い、あるいは梱包や配送ミスその他の問題について、追跡調査が可能となり、迅速に対処可能とすることができる。
【００３０】
また、印刷用紙として台紙３やラベル片４が比較的薄いラベル連続体２の場合を説明したが、下げ札などより厚い印刷用紙の場合には、境界線１０にミシン目や折返し用の線を入れるなどして、終端部の用紙片を折り返し易くすることができる。
【００３１】
図６は、本発明の第２の実施例による裏巻きロール状印刷用紙３０の斜視図であって、裏巻きロール状印刷用紙３０においては、一枚の仮止め用シール３１がラベル片４全体を一箇所で仮止めするようにこれをラベル片４および台紙３にかけて仮着してある。
すなわち、仮止め用シール３１は、仮止め用シール６より長くこれを形成し、ラベル片４を横断して一枚のみでラベル片４の一箇所において台紙３の終端部３Ａおよび境界線１０の部分とともにラベル片４を裏巻きロール状印刷用紙３０外周表面３０Ａに仮止めしている。
【００３２】
こうした構成の裏巻きロール状印刷用紙３０においても、終端部３Ａを巻き解かないままで、外部からラベル片４の印刷表示領域７を識別してその仕様を直接確認することができるとともに、一枚の仮止め用シール３１を用いるので、ラベル片４の仮止め作業も容易である。
【図面の簡単な説明】
【００３３】
【図１】本発明の第１の実施例による裏巻きロール状印刷用紙２０の斜視図である。
【図２】同、ラベル連続体２の終端部のラベル片４ないし台紙３を折り返す工程を示す斜視図である。
【図３】同、ラベル連続体２の終端部のラベル片４の印刷表示領域７を外方に位置させた状態の斜視図である。
【図４】同、図１のＩＶ−ＩＶ線拡大断面図である。
【図５】同、仮止め用シール６の拡大平面図である。
【図６】本発明の第２の実施例による裏巻きロール状印刷用紙３０の斜視図である。
【図７】従来の裏巻きロール状印刷用紙１のロールの一部（終端部）を巻き解いた状態の斜視図である。
【図８】同、図７のＶＩＩＩ−ＶＩＩＩ線断面図である。
【図９】同、裏巻きロール状印刷用紙１の巻き状態（裏巻き状態）を示す斜視図である。
【符号の説明】
【００３４】
１  裏巻きロール状印刷用紙（従来、図７、図９）
１Ａ  裏巻きロール状印刷用紙１の外周表面
２  ラベル連続体（印刷用紙）
３  台紙
３Ａ  台紙３の終端部
４  ラベル片（用紙片）
５  巻芯
６  仮止め用シール
７  印刷表示領域
７Ａ  印刷表示領域７の既印刷領域
７Ｂ  印刷表示領域７の未印刷領域
８  粘着剤層
９  剥離剤層
１０  ラベル片４どうしの境界線
１１  仮止め用シール６のシール本体
１２  粘着剤層
２０  裏巻きロール状印刷用紙（第１の実施例、図１）
２０Ａ  裏巻きロール状印刷用紙２０の外周表面
２１  粘着剤などによる点状の仮止め部（図４）
３０  裏巻きロール状印刷用紙（第２の実施例、図６）
３０Ａ  裏巻きロール状印刷用紙３０外周表面
３１  仮止め用シール
【図１】
0004619300.tif 000002
【図２】
0004619300.tif 000003
【図３】
0004619300.tif 000004
【図４】
0004619300.tif 000005
【図５】
0004619300.tif 000006
【図６】
0004619300.tif 000007
【図７】
0004619300.tif 000008
【図８】
0004619300.tif 000009
【図９】
0004619300.tif 000010